(57)【要約】【課題】使い勝手がよいプラグを提供する。【解決手段】回動部材３１及びプラグ刃３３が設けられる保持部３２は、筐体に形成された孔１２から露出するように筐体に設けられる。回動部材３１は、筐体の面１１に略直交する第１の軸Ａ１を中心に回動できる。保持部３２は、回動部材３１から少なくとも２つの面が露出するように、回動部材３１に形成された切り欠きの内部に、第１の軸Ａ１と略直交する第２の軸Ａ２を中心に回動できるように設けられる。第１の辺１４と、第２の軸Ａ２とが略平行となるように回動部材３１を配置すると、保持部は、プラグ刃３３が面１１から突出する位置と、面１５から突出する位置との間で回動可能である。【選択図】  図１
0003195406.tif 000002
【実用新案登録請求の範囲】
【請求項１】
細長い略棒状の２本のプラグ刃と、前記２本のプラグ刃を所定の間隔で保持する保持部と、前記保持部が設けられた略筒形の回動部材と、を有するプラグ刃組立体と、
前記プラグ刃組立体が設けられる略直方体の筐体と、
を備え、
前記保持部は、前記回動部材に設けられた切り欠きの内部に、前記回動部材から少なくとも隣接する２つの面が露出するように設けられ、
前記筐体の第１の面及び前記第１の面と隣接する第２の面には、前記回動部材及び前記保持部を露出させる孔が形成され、
前記回動部材は、前記第１の面に略直交する第１の軸を中心に回動可能であり、
前記保持部は、前記第１の軸と略直交する第２の軸を中心に回動可能であり、
前記第２の軸が前記第１の面と前記第２の面との間の辺である第１の辺と略平行となるように前記回動部材を配置した場合に、前記保持部は、前記２本のプラグ刃が前記第１の面から突出する位置と、前記２本のプラグ刃が前記第２の面から突出する位置との間で回動可能である
ことを特徴とするプラグ。
【請求項２】
請求項１に記載のプラグであって、
前記第１の面には、前記第２の軸が前記第１の辺と略平行とならないように前記回動部材を配置し、前記２本のプラグ刃が前記第１の面から突出する位置から前記保持部を前記第２の軸を中心に回動させた場合において、前記２本のプラグ刃が収納される凹部が形成される
ことを特徴とするプラグ。
【考案の詳細な説明】
【技術分野】
【０００１】
本考案は、プラグに関する。
【背景技術】
【０００２】
特許文献１には、プラグ本体は、筐体に形成されたプラグ収納用の凹部に収納され、筐体に対し横倒自在かつ回転自在に装着されるプラグ装置が開示されている。特許文献１のプラグ装置は、プラグ本体を倒立した状態では、プラグ本体を回転して異なる方向に向け使用することが可能であり、プラグ本体を横倒させた状態では、プラグ本体がプラグ収納用凹部に完全に収納され、携帯に便利な状態になる。
【先行技術文献】
【特許文献】
【０００３】
【特許文献１】特開２００４−１７２０６６号公報
【考案の概要】
【考案が解決しようとする課題】
【０００４】
特許文献１に記載の発明では、プラグ本体を横倒させた状態では使用することができない。したがって、特許文献１に記載の発明では、隣接するソケット（コンセント）が異なるプラグ装置により覆われている場合には、プラグ装置が使用できない場合がありうるため、使い勝手が悪いという問題がある。
【０００５】
本考案はこのような事情に鑑みてなされたもので、使い勝手がよいプラグを提供することを目的とする。
【課題を解決するための手段】
【０００６】
上記課題を解決するために、本考案に係るプラグは、例えば、細長い略棒状の２本のプラグ刃と、前記２本のプラグ刃を所定の間隔で保持する保持部と、前記保持部が設けられた略筒形の回動部材と、を有するプラグ刃組立体と、前記プラグ刃組立体が設けられる略直方体の筐体と、を備え、前記保持部は、前記回動部材に設けられた切り欠きの内部に、前記回動部材から少なくとも隣接する２つの面が露出するように設けられ、前記筐体の前記第１の面及び前記第１の面と隣接する第２の面には、前記回動部材及び前記保持部を露出させる孔が形成され、前記回動部材は、前記筐体の第１の面に略直交する第１の軸を中心に回動可能であり、前記保持部は、前記第１の軸と略直交する第２の軸を中心に回動可能であり、前記第２の軸が前記第１の面と前記第２の面との間の辺である第１の辺と略平行となるように前記回動部材を配置した場合に、前記保持部は、前記２本のプラグ刃が前記第１の面から突出する位置と、前記２本のプラグ刃が前記第２の面から突出する位置との間で回動可能であることを特徴とする。
【０００７】
本考案に係るプラグによれば、回動部材は、筐体に形成された孔から露出するように筐体に設けられ、筐体の第１の面に略直交する第１の軸を中心に回動できる。プラグ刃が設けられる保持部は、回動部材から少なくとも２つの面が露出するように、回動部材に形成された切り欠きの内部に、第１の軸と略直交する第２の軸を中心に回動できるように設けられる。第１の面と第２の面との間の辺である第１の辺と、第２の軸とが略平行となるように回動部材を配置した場合に、保持部は、２本のプラグ刃が前記第１の面から突出する位置と、２本のプラグ刃が第２の面から突出する位置との間で回動可能である。したがって、プラグ刃と筐体との位置関係を任意に変更可能である。これにより、使い勝手がよくすることができる。
【０００８】
ここで、前記第１の面には、前記第２の軸が前記第１の辺と略平行とならないように前記回動部材を配置し、前記２本のプラグ刃が前記第１の面から突出する位置から前記保持部を前記第２の軸を中心に回動させた場合において、前記２本のプラグ刃が収納される凹部が形成されてもよい。これにより、プラグの未使用時に、プラグ刃が筐体から突出しないようにすることができる。そのため、携帯性及び安全性を高めることができることができる。
【考案の効果】
【０００９】
本考案によれば、使い勝手がよいプラグを提供することができる。
【図面の簡単な説明】
【００１０】
【図１】本考案の一例であるプラグ１の概略を示す斜視図である。
【図２】プラグ１の平面図である。
【図３】プラグ１の上側（＋ｙ側）の側面図である。
【図４】図１に示す状態から、保持部及びプラグ刃を、第２の軸Ａ２を中心に略９０度回動させた状態を示す図である。
【図５】図１に示す状態から、保持部及びプラグ刃を、第１の軸Ａ１を中心に回動させた状態を示す図である。
【図６】プラグ刃が収納された状態を示す図である。
【考案を実施するための形態】
【００１１】
以下、本考案の実施形態を、図面を参照して詳細に説明する。
【００１２】
＜第１の実施の形態＞
図１は、プラグ１の概略を示す斜視図である。図２は、プラグ１の平面図である。図３は、プラグ１の上側（＋ｙ側）の側面図である。なお、図２においては、説明のため、第１のケース１０（後に説明）を一部切断して表示している。
【００１３】
プラグ１は、主として、第１のケース１０と、第２のケース２０と、プラグ刃組立体３０と、を有している。
【００１４】
第１のケース１０及び第２のケース２０は、底面が略長方形の略有底筒状の部材である。第１のケース１０の底面１１と第２のケース２０の底面２１とが対向する状態で、第１のケース１０の開口部と第２のケース２０の開口部とを連結し、第１のケース１０と第２のケース２０とを固定することで、中空の略直方体の筐体が構成される。
【００１５】
筐体の内部には、図示しない端子、コード等が設けられる。なお、略長方形、略直方体というのは、厳密な長方形、直方体に限らず、角が丸くなっている等の厳密な長方形、直方体以外の形状を含む概念である。なお、筐体の形状は略直方体に限られない。
【００１６】
第１のケース１０には、プラグ刃組立体３０が設けられる孔１２が設けられる。また、第１のケース１０の底面１１には、プラグ刃組立体３０のプラグ刃３３（後に詳述）が収納される凹部１３が形成される。
【００１７】
第２のケース２０には、プラグ刃組立体３０が設けられる孔２２が設けられる。また、第２のケース２０には、出力端子（図示せず）が設けられる開口部２３が設けられる。
【００１８】
なお、出力端子には、携帯電話、タブレット端末等の携帯端末や、デジタルカメラ等の電気機器を含む外部機器と接続するための外部接続端子や、少なくとも所定の間隔で配置された２本の刃が挿しこみ可能な差し込み口等を含む。外部接続端子や差し込み口は、すでに公知であるため説明を省略する。
【００１９】
また、出力端子の配設位置及び配設数はこれに限定されるものではない。出力端子を異なる位置に複数設けることで、さらに拡張性を高くすることができる。
【００２０】
プラグ刃組立体３０は、主として、回動部材３１と、保持部３２と、プラグ刃３３とを有する。
【００２１】
回動部材３１は、略円筒形の端を軸に平行な平面で切り落とした形状の部材である。回動部材３１は、孔１２及び孔２２から露出するように、第１のケース１０及び第２のケース２０の内部に設けられる。回動部材３１は、底面１１及び底面２１に略直交する第１の軸Ａ１を中心に回動可能に設けられる。なお、第１の軸Ａ１は、第２のケース２０の底面２１から第１のケース１０側に突出するように、第２のケース２０に設けられた図示しない軸受に軸支される。
【００２２】
保持部３２は、略直方体であり、２本のプラグ刃３３を所定の間隔で保持する。保持部３２は、回動部材３１に形成された切り欠き３１ａに、第１の軸Ａ１と略直交する第２の軸Ａ２を中心に回動可能に設けられる。なお、第２の軸Ａ２は、回動部材３１に設けられた図示しない軸受に軸支される。
【００２３】
第１の軸Ａ１は、回動部材３１の中心軸と略一致している。また、第２の軸Ａ２は、回動部材３１の中心軸、すなわち第１の軸Ａ１と交差する。
【００２４】
保持部３２は、少なくとも隣接する２つの面が回動部材３１から露出するように設けられる。その結果、保持部３２は、略９０度回動可能となる。なお、保持部３２の形状は略直方体に限られない。例えば、保持部３２の２本のプラグ刃３３が設けられた面以外の面は、平面でなく、曲面でもよい。
【００２５】
プラグ刃３３は、細長い略棒状の金属製の部材である。プラグ刃３３は図示しない出力端子と電気的に接続されており、プラグ刃３３をソケット（コンセント）等に挿入することで図示しない出力端子に電力が供給される。
【００２６】
図４は、図１に示す状態（図１では、第１のケース１０の辺１４と、第２の軸Ａ２とが略平行である）から、保持部３２及びプラグ刃３３を、第２の軸Ａ２を中心に略９０度回動させた状態を示す図である。
【００２７】
孔１２及び孔２２は、第１のケース１０の上側（＋ｙ側）の側面１５及び第２のケース２０の上側（＋ｙ側）の側面２４に接している（図３参照）。したがって、第２の軸Ａ２が辺１４と略平行となるように回動部材３１を配置した場合に、２本のプラグ刃３３が底面１１から＋ｚ方向に突出する第１の位置と、２本のプラグ刃３３が側面１５から＋ｙ方向に突出する第２の位置（第１の位置と略直交する位置）との間で、保持部３２は、第２の軸Ａ２を中心に回動可能である（図４矢印参照）。なお、側面１５及び側面２４は、第１のケース１０及び第２のケース２０により構成される筐体の一つの面を構成する。
【００２８】
プラグ１が図１に示す状態にあるときに、プラグ刃３３を壁面に設けられたソケットに差し込むと、底面１１及び底面２１が壁面と平行になる。この場合は、壁面のソケットを使用するときに使い勝手がよい場合である。
【００２９】
プラグ１が図４の示す状態にあるときに、プラグ刃３３を延長コードの先端に設けられた三つ又ソケット又は壁面のソケットに挿入された三つ又ソケットに差し込むと、底面１１及び底面２１が他のソケットを覆うことはない。そのため、三つ又ソケットに設けられた複数のソケットを同時に使用することができる。
【００３０】
図５は、図１に示す状態から、保持部３２及びプラグ刃３３を、第１の軸Ａ１を中心に回動させた状態を示す図である。
【００３１】
孔１２及び孔２２は、側面１５及び側面２４（図５では図示せず）に接しており（図３参照）、回動部材３１は、側面１５及び側面２４から露出しているため、回動部材３１は第１の軸Ａ１を中心にｘｙ平面に沿って回動可能である。
【００３２】
これにより、プラグ刃３３を回転させて第１のケース１０及び第２のケース２０が他のソケットを覆わないようにしたり、プラグ刃３３を挿入しようとするソケットに隣接するソケットに挿入されている他のプラグと干渉しないようにしたりすることで、第１のケース１０及び第２のケース２０が邪魔になり、他のソケットを使用することができないという状況を回避することができる。
【００３３】
図６は、プラグ刃３３が凹部１３に収納された状態を示す。
【００３４】
図１に示す状態から、保持部３２及びプラグ刃３３を、切り欠き３１ａが凹部１３の方向を向くように第１の軸Ａ１を中心に回動させ、かつ保持部３２及びプラグ刃３３を、第２の軸Ａ２を中心に回動させる。その結果、プラグ刃３３が凹部１３に収納される。なお、凹部１３の位置は、図示された位置に限られない。
【００３５】
これにより、プラグ１の未使用時に、プラグ刃３３が第１のケース１０及び第２のケース２０から突出しないようにすることができる。そのため、携帯性及び安全性を高めることができる。
【００３６】
本実施の形態によれば、プラグ刃と筐体との位置関係を任意に変更可能であり、使い勝手がよいプラグを提供することができる。
【００３７】
なお、第１の軸Ａ１や第２の軸Ａ２を軸支する図示しない軸受の少なくとも一方には、図示しないクリック機構が設けられてもよい。これにより、プラグ刃３３が９０°等回動された状態で停止保持するためことができる。クリック機構は、すでに公知の様々な機構を用いることができる。
【００３８】
なお、本実施の形態では、プラグ刃３３は板状であり、タイプＡ（NEMA 1-15又はJIS C 8303 クラスIIに対応）のソケットに対応するが、プラグ刃３３は円柱状でもよい。プラグ刃３３が円柱の場合には、タイプＣ（ユーロプラグ等）、タイプＥ（CEE 7/5に対応）、タイプＦ（CEE 7/4に対応）等に対応する。
【００３９】
また、本実施の形態では、通電極であるプラグ刃３３のみが保持部３２に設けられているが、接地極となる刃を更に保持部３２に設けてもよい。これにより、例えば、タイプＢ（NEMA 5-15、NEMA 5-20又はJIS C 8303 クラスIに対応）のソケットに対応することができる。さらに、２本のプラグ刃３３は、平行に設けられていなくてもよく、例えば略ハの字形状でもよいし、斜めかつ平行でもよい。
【００４０】
以上、この考案の実施形態を、図面を参照して詳述してきたが、具体的な構成はこの実施形態に限られるものではなく、この考案の要旨を逸脱しない範囲の設計変更等も含まれる。例えば、上記の実施例は本考案を分かりやすく説明するために詳細に説明したものであり、必ずしも説明した全ての構成を備えるものに限定されるものではない。
【００４１】
また、実施形態の構成の一部を他の実施形態の構成に置き換えることが可能であり、また、実施形態の構成に他の構成の追加、削除、置換等をすることが可能である。
【００４２】
また、本考案において、「略」とは、厳密に同一である場合のみでなく、同一性を失わない程度の誤差や変形を含む概念である。例えば、略平行、略直交とは、厳密に平行、直交する場合に限らず、同一性を失わない程度、例えば数度の誤差を含む概念である。
【符号の説明】
【００４３】
１        ：プラグ
１０      ：第１のケース
１１      ：底面
１２      ：孔
１３      ：凹部
１４      ：辺
１５      ：側面
２０      ：第２のケース
２１      ：底面
２２      ：孔
２３      ：開口部
２４      ：側面
３０      ：プラグ刃組立体
３１      ：回動部材
３１ａ    ：切り欠き
３２      ：保持部
３３      ：プラグ刃
Ａ１      ：第１の軸
Ａ２      ：第２の軸
【図１】
0003195406.tif 000003
【図２】
0003195406.tif 000004
【図３】
0003195406.tif 000005
【図４】
0003195406.tif 000006
【図５】
0003195406.tif 000007
【図６】
0003195406.tif 000008